(57)【要約】【課題】ダイセットの外側にクッションを使用せずに、パッドとダイの間にシワや割れの発生を抑止するシワ押さえ力を発生させることができ、ストローク高さを確保することができる絞り金型を提供する。【解決手段】絞り金型１０の上型ダイセット１２にはダイ１４が取り付けられ、下型ダイセット２０のはパンチ２２とパッド２４が取り付けられている。そして、上型ダイセット１２には、ダイ１４の左右方向外側に、左右方向に移動自在に係合された略矩形のロックカム３０が配設されており、ロックカム３０のダイ１４に面する側面には、ダイ１４とパッド２４を挟み込むことのできる凹部３１が形成されている。そして、下型ダイセット２０には、ロックカム３０を左右方向の内側に移動させることのできるカムドライバ４０と、ロックカム３０を元の位置に復帰させることのできるリリースドライバ４６が配設されている。【選択図】図１
2011011241.tif 000002
【特許請求の範囲】
【請求項１】
パンチおよび付勢部材を介したパッドが取り付けられたパンチ側ダイセットと、ダイが取り付けられたダイ側ダイセットが上下方向で対向する絞り金型であって、
前記ダイ側ダイセットには、前記ダイの左右の外側に、左右方向に移動自在に係合された略矩形のロックカムが配設されており、
前記ロックカムの前記ダイに面する側面には、該ダイおよび前記パッドの側部を上下方向から挟み込むことのできる凹部が形成され、該ロックカムの左右方向の外方の側面は、先端部が傾斜面とされ基部が垂直面とされており、
前記絞り金型は、前記ロックカムを左右方向の内側に移動させる移動手段と、該ロックカムを元の位置に復帰させる復帰手段とを備えており、
前記移動手段は、前記パンチ側ダイセットの前記パッドの左右の外側に配設された略矩形のカムドライバであり、
前記カムドライバの前記パッドに面する側面は先端部が傾斜面とされ基部が垂直面とされており、
前記絞り金型の型締め動作時に、前記カムドライバの傾斜面と前記ロックカムの傾斜面が当接して該ロックカムが左右方向の内側へスライドし、該ロックカムの凹部に前記ダイおよび前記パッドの側部を上下方向から挟み込んだ状態で該ロックカムの左右方向の内側へのスライドが終了して該カムドライバの垂直面と該ロックカムの垂直面が当接する状態となり、
前記ダイおよび前記パッドを挟み込んだ前記ロックカムに左右方向の外方から前記カムドライバが当接した状態で、該ロックカムと該カムドライバが上下方向に相対スライドして接近し型締めが進行する絞り金型。
【請求項２】
請求項１に記載の絞り金型であって、
前記復帰手段は、前記パンチ側ダイセットのパッドとカムドライバの間に配設され、先端部が左右方向外方に張り出した略Ｌ字形のリリースドライバであり、該リリースドライバの左右方向の外側の先端部には先端に向かって俯角となる俯角傾斜面が形成されており、
前記ロックカムには、前記リリースドライバの俯角傾斜面と当接することのできるリリース傾斜面が形成されており、
前記絞り金型の型開き時に、前記リリースドライバの俯角傾斜面と前記ロックカムのリリース傾斜面が当接して該ロックカムが左右方向の外側へスライドし元の位置に戻ることを特徴とする絞り金型。
【請求項３】
請求項２に記載の絞り金型であって、
前記ダイ側ダイセットには前記リリースドライバの先端を収容することのできる凹部が形成されており、前記パンチ側ダイセットには前記ロックカムの先端を収容することのできる凹部が形成されていることを特徴とする絞り金型。
【発明の詳細な説明】
【技術分野】
【０００１】
この発明は絞り金型に関する。
【背景技術】
【０００２】
図５に、従来技術による絞り金型１００の、型締め過程の断面を示す。図５に示すとおり、絞り金型１００は、上型ダイセット１１０にダイ１１２が取り付けられ、下型ダイセット１２０にパンチ１２２が取り付けられている。そして、パンチ１２２の周囲に配されたパッド１２４は、クッションピン１２６を介して、下型ダイセット１２０の下方に配されたクッション１３０に取り付けられている。
そして、絞り金型１００による型締め時には、クッション１３０によりクッションピン１２６を介してパッド１２４に圧力をかけ、ダイ１１２とパッド１２４で素材１２８の周囲を押さえて、シワや割れの発生を抑止するシワ押さえ力を発生させることができる構成とされている。
先行技術文献の特開平１０−８０７３０号公報（特許文献１）には、図５に示した絞り金型１００と同様の、クッションピンが下型台板の下方からブランクホルダーを支える構成の絞り金型が記載されている。
【先行技術文献】
【特許文献】
【０００３】
【特許文献１】特開平１０−８０７３０号公報
【発明の概要】
【発明が解決しようとする課題】
【０００４】
しかしながら、従来技術の絞り金型１００では、下型ダイセット１２０の下方の外側にクッション１３０を配した構造のため、金型が大型化し、プレス能力がクッション１３０による圧力分だけ減少してしまう。そして、クッションピン１２６のストローク高さしか、絞ることができず、クッション１３０のクッション能力分までしかクッション圧をあげることができない。
【０００５】
そこで、本発明が解決しようとする課題は、ダイセットの外側にクッションを使用せずに、パッドとダイの間にシワや割れの発生を抑止するシワ押さえ力を発生させることができ、ストローク高さを確保することができる絞り金型を提供することである。
【課題を解決するための手段】
【０００６】
上記課題を解決するため、本発明にかかる絞り金型は次の手段をとる。
まず、本発明の第１の発明は、パンチおよび付勢部材を介したパッドが取り付けられたパンチ側ダイセットと、ダイが取り付けられたダイ側ダイセットが上下方向で対向する絞り金型であって、
前記ダイ側ダイセットには、前記ダイの左右の外側に、左右方向に移動自在に係合された略矩形のロックカムが配設されており、
前記ロックカムの前記ダイに面する側面には、該ダイおよび前記パッドの側部を上下方向から挟み込むことのできる凹部が形成され、該ロックカムの左右方向の外方の側面は、先端部が傾斜面とされ基部が垂直面とされており、
前記絞り金型は、前記ロックカムを左右方向の内側に移動させる移動手段と、該ロックカムを元の位置に復帰させる復帰手段とを備えており、
前記移動手段は、前記パンチ側ダイセットの前記パッドの左右の外側に配設された略矩形のカムドライバであり、
前記カムドライバの前記パッドに面する側面は先端部が傾斜面とされ基部が垂直面とされており、
前記絞り金型の型締め動作時に、前記カムドライバの傾斜面と前記ロックカムの傾斜面が当接して該ロックカムが左右方向の内側へスライドし、該ロックカムの凹部に前記ダイおよび前記パッドの側部を上下方向から挟み込んだ状態で該ロックカムの左右方向の内側へのスライドが終了して該カムドライバの垂直面と該ロックカムの垂直面が当接する状態となり、
前記ダイおよび前記パッドを挟み込んだ前記ロックカムに左右方向の外方から前記カムドライバが当接した状態で、該ロックカムと該カムドライバが上下方向に相対スライドして接近し型締めが進行する絞り金型である。
【０００７】
この第１の発明によれば、ロックカムの凹部にダイとパッドの側部を上下方向から挟み込むことにより、ダイとパッドの間隔が一定になることでクッションの働きをすることができ、絞りに必要な圧力を確保することができる。そして、ロックカムとカムドライバが上下方向に相対スライドして接近し型締めが進行するため、ストローク高さが確保される。
よって、ダイセットの外側にクッションを使用せず、パッドとダイの間にシワや割れの発生を抑止するシワ押さえ力を発生させることができ、ストローク高さを確保することができる絞り金型を提供することができる。
【０００８】
次に、本発明の第２の発明は、上記第１の発明に係る絞り金型であって、前記復帰手段は、前記パンチ側ダイセットのパッドとカムドライバの間に配設され、先端部が左右方向外方に張り出した略Ｌ字形のリリースドライバであり、該リリースドライバの左右方向の外側の先端部には先端に向かって俯角となる俯角傾斜面が形成されており、
前記ロックカムには、前記リリースドライバの俯角傾斜面と当接することのできるリリース傾斜面が形成されており、
前記絞り金型の型開き時に、前記リリースドライバの俯角傾斜面と前記ロックカムのリリース傾斜面が当接して該ロックカムが左右方向の外側へスライドし元の位置に戻ることを特徴とする。
この第２の発明によれば、型開き時には、リリースドライバにより、型開きの力を利用する簡易な構造で、ロックカムがパッドとダイを挟み込んだ状態を解除できる。
【０００９】
次に、本発明の第３の発明は、上記第２の発明に係る絞り金型であって、前記ダイ側ダイセットには前記リリースドライバの先端を収容することのできる凹部が形成されており、前記パンチ側ダイセットには前記ロックカムの先端を収容することのできる凹部が形成されていることを特徴とする。
この第３の発明によれば、ロックカムおよびリリースドライバの先端が各ダイセットに形成された凹部に収容されるため、絞り金型のストロークを長くすることができる。
【発明の効果】
【００１０】
上述の本発明の各発明によれば、次の効果が得られる。
まず、上述の第１の発明によれば、ロックカムの凹部にダイとパッドを挟み込むことにより、ダイセットの外側にクッションを使用せず、パッドとダイの間にシワや割れの発生を抑止するシワ押さえ力を発生させることができ、ストローク高さを確保することができる絞り金型を提供することができる。
次に上述の第２の発明によれば、型開き時には、リリースドライバにより、型開きの力を利用する簡易な構造でロックカムがパッドとダイを挟み込んだ状態を解除できる。
次に上述の第３の発明によれば、絞り金型のストロークを長くすることができる。
【図面の簡単な説明】
【００１１】
【図１】実施例１の絞り金型の断面表示による正面図である。
【図２】実施例１の絞り金型の側面図である。
【図３】ロックカムとカムドライバとリリースドライバの外観斜視図である。
【図４】実施例１の絞り金型の型締め時の動作を説明する図である。
【図５】従来技術による絞り金型の断面図である。
【発明を実施するための形態】
【００１２】
以下、本発明を実施するための形態について実施例にしたがって説明する。
【実施例１】
【００１３】
［絞り金型の構成］
図１に本発明の実施例１における絞り金型１０の断面表示による正面図を、図２に、絞り金型１０の側面図を示す。なお、図１は、絞り金型１０の複数の奥行き位置における断面を組み合わせて表示したものである。
絞り金型１０は、図１に示すとおり、ダイ１４が直接取り付けられ、ノックアウト１６がバネ１８を介して取り付けられた上型ダイセット１２と、パンチ２２が直接取り付けられ、パッド２４がバネ２６を介して取り付けられた下型ダイセット２０が上下方向で対向する絞り金型である。バネ２６は本発明の付勢部材に相当する。そして、上型ダイセット１２が本発明のダイ側ダイセットに相当し、下型ダイセット２０が本発明のパンチ側ダイセットに相当する。
【００１４】
上型ダイセット１２には、ダイ１４の左右の外側に、上型ダイセット１２の下面に左右方向に形成された図示しない溝に対して左右方向に移動自在に係合された、略矩形の一対のロックカム３０が配設されている。
そして、ロックカム３０のダイ１４に面する内側側面には、高さ方向の中央部に凹部３１が形成され、凹部３１の上下には凸部３２が形成されている。この凹部３１の高さ方向の幅は、ダイ１４の高さ方向の厚みと、パッド２４の高さ方向の厚みと、ダイ１４とパッド２４の間に挟まれる素材の厚みとの和に相当する大きさとされている。
そして、ロックカム３０の左右方向の外側側面は、下方に位置する先端部が左右方向に内側下部から外側上部へ傾斜する傾斜面３３とされており、傾斜面３３の上端より上方の外側側面の基部は垂直面３４とされている。
そして、ロックカム３０の前後方向の側面には、左右方向外側の先端部分に、前後方向（側面図の図２では図の左右方向）に肉厚一定で突出する略菱形のリリースブロック３６が形成されている。そして、リリースブロック３６の上側の面は、左右方向内側下方から左右方向外側上方に傾斜するリリース傾斜面３８とされており、リリースブロック３６の左右方向内側の側面は垂直面３９とされている。そして、リリースブロック３６の下側の側面はロックカム３０の傾斜面３３と面一とされ、リリースブロック３６の左右方向外側の側面はロックカム３０の垂直面３４と面一とされている。
【００１５】
下型ダイセット２０には、パッド２４の左右の外側に略矩形の一対のカムドライバ４０が配設されている。そして、カムドライバ４０のパッド２４に面する内側側面は、先端部が左右方向に内側下方から外側上方に傾斜する傾斜面４２とされ、傾斜面４２の下端より下方の内側側面の基部は垂直面４４とされている。そしてカムドライバ４０の傾斜面４２の傾斜角はロックカム３０の傾斜面３３の傾斜角と同一とされている。このカムドライバ４０が本発明の移動手段に相当する。
そして、下型ダイセット２０には、パッド２４と左右のカムドライバ４０の間に、カムドライバ４０の手前側および後側に、先端部が左右方向外方に向かって張り出した略Ｌ字形のリリースドライバ４６が都合４個配設されている。そして、リリースドライバ４６の左右方向外側の先端部には、先端に向かって俯角となる俯角傾斜面４８が形成されている。そして、リリースドライバ４６の俯角傾斜面４８の傾斜は、ロックカム３０から突出したリリースブロック３６のリリース傾斜面３８と同一の傾斜とされている。このリリースドライバ４６が本発明の復帰手段に相当する。そして、俯角傾斜面４８より下側は垂直面４９とされている。
図３に、ロックカム３０、カムドライバ４０及びリリースドライバ４６の外観斜視図を示す。
【００１６】
そして、上型ダイセット１２には、絞り金型１０の型締め時に下型ダイセット２０に配設されたリリースドライバ４６の先端を収容することのできる上型凹部１３が形成されている。また、下型ダイセット２０には、絞り金型１０の型締め時に上型ダイセット１２に係合されたロックカム３０の先端を収容することのできる下型凹部２１が形成されている。
【００１７】
［型締め時の動作］
図４に絞り金型１０の型締め時の動作を示す。上型ダイセット１２が下型ダイセット２０に接近すると、ロックカム３０の傾斜面３３とカムドライバ４０の傾斜面４２が当接した状態となる。そして、ロックカム３０の傾斜面３３がカムドライバ４０の傾斜面４２に沿ってスライドし、ロックカム３０が絞り金型１０の左右方向内側へスライドする。図４（Ａ）は、ロックカム３０がダイ１４及びパッド２４のすぐ近くまで接近した状態を示す。この時、ダイ１４とパッド２４の間に素材２８が挟まれてダイ１４とパッド２４が密着した状態となっており、パンチ２２と素材２８の間には隙間がある。なお、ロックカム３０のリリースブロック３６のリリース傾斜面３８とリリースドライバ４６の俯角傾斜面４８は非接触状態であり、この間にはわずかな隙間がある。
【００１８】
型締めの進行により、図４（Ａ）の状態からさらに上型ダイセット１２が下型ダイセット２０に接近すると、ロックカム３０が絞り金型１０の左右方向内側へさらにスライドする。そして、ロックカム３０の凹部３１の下側の凸部３２がパッド２４の下側に入り込み、ロックカム３０の凹部３１の上側の凸部３２がダイ１４の上側に入り込んで、ロックカム３０の凹部３１にダイ１４と素材２８とパッド２４の側部を上下方向から挟む状態となる。そして、パンチ２２と素材２８の隙間が無くなる前に、ロックカム３０の凹部３１にダイ１４と素材２８とパッド２４の側部を上下方向から挟み込んで、ロックカム３０でダイ１４とパッド２４を固定した状態となる。
さらに型締めが進行すると、図４（Ｂ）に示すように、ロックカム３０の傾斜面３３とカムドライバ４０の傾斜面４２の間のスライドが終了し、ロックカム３０の傾斜面３３と垂直面３４の境界位置とカムドライバ４０の傾斜面４２と垂直面４４の境界位置が接触した状態となる。そして、ロックカム３０でダイ１４とパッド２４を固定した状態のままで、ロックカム３０の左右方向内側へのスライドが終了する。この時、パンチ２２と素材２８の隙間は無くなっており、パンチ２２が素材２８と接触状態となっている。そして、ロックカム３０のリリースブロック３６の左右方向内側の垂直面３９とリリースドライバ４６の左右方向外側の垂直面４９は、非接触状態であり、この間には隙間がある。
【００１９】
図４（Ｂ）の状態からさらに型締めが進行すると、ダイ１４と素材２８とパッド２４を挟み込んで固定した状態のロックカム３０が、カムドライバ４０の左右方向内側の垂直面４４に沿って下方へスライドする。そして、下型ダイセット２０に固定されたパンチ２２により、ダイ１４とパッド２４に挟まれた素材２８のパンチ２２に接する部分が相対的に突き上げられて、素材２８の絞り加工が進む。
図４（Ｃ）に、型締めが終了した状態を示す。このとき、ロックカム３０の先端は下型ダイセット２０に形成された下型凹部２１に収容された状態となり、リリースドライバ４６の先端は上型ダイセット１２に形成された上型凹部１３に収容された状態となる。
【００２０】
［型開き時の動作］
型開き時には、図４（Ｃ）の状態から、ロックカム３０がダイ１４と素材２８とパッド２４を挟んだ状態でリリースドライバ４６とカムドライバ４０の間を上方へスライドする。そして、ロックカム３０のリリース傾斜面３８がリリースドライバ４６の俯角傾斜面４８に対して接触状態となる。さらに型開きが進むと、ロックカム３０のリリース傾斜面３８がリリースドライバ４６の俯角傾斜面４８に沿ってスライドし、ロックカム３０が左右方向外側へ移動して、ロックカム３０の凹部３１に挟まれていたダイ１４と素材２８とパッド２４がロックカム３０から外れる。そして、ロックカム３０はリリース傾斜面３８がリリースドライバ４６の俯角傾斜面４８に接した状態でさらに左右方向外方に移動して元の位置に戻る。
【００２１】
［効果］
実施例１の絞り金型１０によれば、ロックカム３０の凹部３１にダイ１４とパッド２４を挟み込むことにより、ダイ１４とパッド２４の間隔を一定にすることでクッションの役割を果たすと共に、絞りに必要な圧力を確保することができる。そして、ロックカム３０とカムドライバ４０が上下方向に相対スライドして接近し型締めが進行するため、ストローク高さが確保される。
よって、絞り金型１０によれば、ダイセットの外側にクッションを使用せず、パッドとダイの間にシワや割れの発生を抑止するシワ押さえ力を発生させることができ、ストローク高さを確保することができる絞り金型を提供することができる。
また、型開き時には、リリースドライバ４６により、型開きの力を利用する簡易な構造で、ロックカム３０がダイ１４とパッド２４を挟み込んだ状態を解除できる。
そして、ロックカム３０およびリリースドライバ４６の先端が各ダイセットに形成された上型凹部１３及び下型凹部２１に収容されるため、絞り金型１０のストロークをさらに長くすることができる。
【００２２】
［変形例］
上述の実施例１では、各ダイセットにロックカム及びリリースドライバの先端を収容する凹部を形成しているが、これらの凹部は省略することもできる。また、実施例１と上下を反転させて、上型ダイセットをパンチ側ダイセットとし、下型ダイセットをダイ側ダイセットとする構成とすることもできる。
また、上述の実施例１では、復帰手段としてリリースドライバを用いているが、復帰手段はリリースドライバに限られない。たとえば、ロックカムと上型ダイセットの間に、左右方向に付勢力を生じるバネを介在させる構成としてもよい。この構成によれば、型締め時には、カムドライバによりロックカムが左右方向内側にスライドし、バネにロックカムを元に位置に戻そうとする付勢力が生じる。そして、型開き時には、バネに生じた付勢力により、ロックカムを左右方向の元の位置に戻すことができる。
その他、本発明に係る絞り金型はその発明の思想の範囲で、各種の形態で実施できるものである。
【符号の説明】
【００２３】
１０   絞り金型
１２   上型ダイセット
１３   上型凹部
１４   ダイ
１６   ノックアウト
１８   バネ
２０   下型ダイセット
２１   下型凹部
２２   パンチ
２４   パッド
２６   バネ
２８   素材
３０   ロックカム
３１   凹部
３２   凸部
３３   傾斜面
３４   垂直面
３６   リリースブロック
３８   リリース傾斜面
３９   垂直面
４０   カムドライバ
４２   傾斜面
４４   垂直面
４６   リリースドライバ
４８   俯角傾斜面
４９   垂直面
【図１】
2011011241.tif 000003
【図２】
2011011241.tif 000004
【図３】
2011011241.tif 000005
【図４】
2011011241.tif 000006
【図５】
2011011241.tif 000007